(57)【要約】吸収性衛生用品を形成するユニットは、回転軸（Ａ）を中心に回転可能であり、供給方向（Ｂ）に沿って可動である周方向外周面（２ａ）を有するドラム（２）と、材料のパネル（１０２）の対の連続体を供給し、周方向外周面（２ａ）に対向し、それぞれの２枚のパネル（１０２）が互いに対向しており且つ供給方向（Ｂ）に沿って横方向に整列されるように各対を位置決めするように構成される第１の供給手段（３）と、吸収性衛生用品（１００）の本体（１０１）の少なくとも一部を形成するのに適切な材料の連続状ウェブ（１０１ａ）を供給し、各パネル（１０２）がウェブ（１０１ａ）から側方に部分的に突き出るように、ドラム（２）の周方向外周面（２ａ）にウェブ（１０１ａ）を位置決めするように構成される第２の供給手段（４）と、を備える。このユニットは、第２の供給手段（４）の下流に動作可能に位置する区域に、ドラム（２）の周方向外周面（２ａ）に沿って位置し、供給方向（Ｂ）に沿って連続して並べられている少なくとも一の複数のシール点（８）において、対の各パネル（１０２）をウェブ（１０１ａ）に取り付けるように構成される超音波シールステーション（７）を備える。
2018514316.tif 000002
【特許請求の範囲】
【請求項１】
吸収性衛生用品を形成するユニットであって、
回転軸（Ａ）を中心に回転可能であり、供給方向（Ｂ）に沿って可動である周方向外周面（２ａ）を有するドラム（２）と、
材料のパネル（１０２）の対の連続体を供給し、前記周方向外周面（２ａ）に対向し、前記それぞれの２枚のパネル（１０２）が互いに対向しており且つ前記供給方向（Ｂ）に沿って横方向に整列されるように各対を位置決めするように構成される第１の供給手段（３）と、
吸収性衛生用品（１００）の本体（１０１）の少なくとも一部を形成するのに適切な材料の連続状ウェブ（１０１ａ）を供給し、各パネル（１０２）が前記ウェブ（１０１ａ）から側方に部分的に突き出るように、前記ドラム（２）の前記周方向外周面（２ａ）に前記ウェブ（１０１ａ）を位置決めするように構成される第２の供給手段（４）と、
前記第２の供給手段（４）の下流に動作可能に位置する区域に、前記ドラム（２）の前記周方向外周面（２ａ）に沿って位置し、前記供給方向（Ｂ）に沿って連続して並べられている少なくとも一の複数のシール点（８）において、前記対の各パネル（１０２）を前記ウェブ（１０１ａ）に取り付けるように構成される超音波シールステーション（７）と、
を備え、
前記超音波シールステーション（７）は、それぞれが、各対のそれぞれのパネル（１０２）に作用するように、前記ドラム（２）の前記周方向外周面（２ａ）に対向し、前記供給方向（Ｂ）に対して横方向に互いから間隔をおいて配置されている少なくとも１つの第１のソノトロード（９）及び少なくとも１つの第２のソノトロード（１０）を備え、
前記第１のソノトロード（９）及び前記第２のソノトロード（１０）は、互いに向かって及び互いから離れるように移動可能であることによって、前記吸収性用品（１００）の大きさに適合する、
ユニット。
【請求項２】
前記供給方向（Ｂ）に沿って連続して並べられている対応する複数の点（８）において、各パネル（１０２）を前記連続状ウェブ（１０１ａ）にシールするように構成される複数の第１のソノトロード（９）及び複数の第２のソノトロード（１０）
を備える、請求項１に記載のユニット。
【請求項３】
前記ドラム（２）は、前記周方向外周面（２ａ）に沿って、少なくとも部分的に周方向の方向に沿って連続して並べられている複数の吸引凹部（６）と、前記ソノトロード（９，１０）用のそれぞれのアンビル（１１）を構成し、前記ドラム（２）の前記回転軸（Ａ）に対して、前記少なくとも部分的に周方向の方向及び軸方向の両方に沿って分散されている複数の停止部（１２）即ち当接部と、を有する、請求項２に記載のユニット。
【請求項４】
前記吸引凹部（６）は、前記停止部（１２）即ち当接部と軸方向及び／又は周方向に交互になるように並べられている、請求項３に記載のユニット。
【請求項５】
前記吸引凹部（６）は、前記停止部（１２）即ち当接部と軸方向及び周方向の両方に交互になるように並べられている、請求項３に記載のユニット。
【請求項６】
前記第２の供給手段（４）は、前記ドラム（２）周りに部分的な円形区間を有する供給経路（Ｐ）に沿って、前記ウェブ（１０１ａ）を供給するように構成され、
前記シールステーションは、前記区間（Ｔ）に位置する、
請求項１から５のいずれか１項に記載のユニット。
【請求項７】
前記供給経路（Ｐ）の前記区間（Ｔ）は、少なくとも２０°の円形領域を占める、請求項６に記載のユニット。
【請求項８】
前記ドラム（２）のすぐ下流に、吸収性コアを前記ウェブに貼り付ける貼付ステーション及び／又は前記連続状ウェブ（１０１ａ）及び更なる連続状ウェブ（１０１ｂ）の間に前記パネル（１０２）が配置されるように、前記更なる連続状ウェブ（１０１ｂ）を前記連続状ウェブ（１０１ａ）に貼り付ける貼付ステーション
を備える、請求項１から７のいずれか１項に記載のユニット。
【発明の詳細な説明】
【技術分野】
【０００１】
本発明は、吸収性衛生用品を形成するユニット及び吸収性衛生用品を製造する方法に関する。
【０００２】
そのため、本発明は、自動式機械の分野に特に適用可能であり、子供又は成人用使い捨てオムツ等の吸収性衛生用品の生産に特に適用可能である。
【背景技術】
【０００３】
公知の種類の吸収性用品において、用品の本体は、前端部（また、業界用語で簡潔に「前方」と称し、使用時に、この用語が示唆するように、着用者の身体の前方部分を覆う）及び後端部（また、業界用語で簡潔に「後方」と称し、使用時に、この用語が示唆するように、着用者の身体の後方部分を覆う）を有する。
【０００４】
これらの用品は、必要であれば、前端部の両側から延在し、業界用語で「前方パネル」と呼ばれる２つ以上の接続部分からなってもよい１対のパネル即ちサイドウィングと、必要であれば、後端部の両側から延在し、業界用語で「後方パネル」と呼ばれる２つ以上の接続部分からなってもよい１対のパネル即ちサイドウィングと、を備える。
【０００５】
本発明は、製品が完成するときに、用品の本体即ち「シャーシ」の「表面シート」（浸透性層）又は「裏面シート」（非浸透性層）を形成する本体即ち連続状ウェブにパネル即ちウィングが貼り付けられる、吸収性衛生用品を組み立てるステーションにおいて適用可能である。
【０００６】
従来技術において、吸収性用品を形成するユニットは、パネル即ちウィングの対の連続体を供給する手段及び少なくとも１つの材料の連続状ウェブを供給する手段と対応付けられているドラムによって構成される。
【０００７】
幾つかの実施形態において、対の連続体を供給する手段は、２つの車輪又はアームに細分され、それぞれが、典型的には形状及び構成が異なる前方又は後方パネルの対を貼り付けるように構成される。
【０００８】
いずれにせよ、従来技術のユニットは、全般的に、パネル結合区域においてパネル又はウェブに所定の分量の接着剤を塗布するように構成される接着剤塗布ユニットを備える。
【０００９】
より具体的には、このユニットは、パネルを「一時的に」位置決めするが恒久的に固定しない程度の接着剤を放出するように構成される。
【００１０】
実際に、従来技術のユニットは、ドラムの下流に位置し、接着剤によって位置決めされているパネルが、２つ以上の点においてウェブに確実に固定されている当接面（即ちアンビル）に対向する複数のソノトロードを備えるシールステーションを備える。
【００１１】
不利なことに、接着剤塗布ユニットの存在によれば、幾つかの重大な要因及び複雑化が機械に持ち込まれる。
【００１２】
実際に、接着剤塗布ユニットの後に位置する超音波シールステーションは、接着剤を過熱し易く、接着剤を融解させ且つ吸収性用品にしみ込ませる。
【００１３】
また、融解された接着剤は、吸収性用品に悪影響を与えるだけでなく、全体としてシールステーションを、とりわけソノトロード又はアンビルを汚し易く、これにより、保守コスト及び機械の休止時間を増大させる。
【発明の概要】
【００１４】
上述した点に鑑みて、本発明の目的は、従来技術の上述の欠点を解消することができる、吸収性衛生用品を形成するユニット及び吸収性衛生用品を製造する方法を提供することにある。
【００１５】
より具体的には、本発明の目的は、製品の品質を高めることができる、吸収性衛生用品を形成するユニット及び吸収性衛生用品を製造する信頼性が高い方法を提供することにある。
【００１６】
本発明の別の目的は、小型化し、信頼性が高い、吸収性衛生用品を形成するユニットを提供することにある。
【００１７】
これらの目的は、１つ又は複数の添付の請求項１から７に記載の特徴を有する吸収性衛生用品を形成するユニットだけでなく、１つ又は複数の請求項８から１０に記載の特徴を有する吸収性衛生用品を製造する方法によって達成される。
【００１８】
より具体的には、本発明に係るユニットは、回転軸を中心に回転可能であり、供給方向に沿って可動である周方向外周面を有するドラムと、材料のパネルの対の連続体を供給し、周方向外周面に対向し、それぞれの２枚のパネルが互いに対向しており且つ供給方向に沿って横方向に整列されるように各対を位置決めするように構成される第１の供給手段と、吸収性衛生用品の本体の少なくとも一部を形成するのに適切な材料の連続状ウェブを供給し、各パネルがウェブから側方に部分的に突き出るように、ドラムの周方向外周面にウェブを位置決めするように構成される第２の供給手段と、を備える。
【００１９】
本発明の一態様によれば、ユニットは、ウェブを供給する供給手段の下流に動作可能に位置する区域に、ドラムの周方向外周面に沿って位置し、供給方向に沿って連続して並べられている少なくとも一の複数のシール点において、対の各パネルをウェブに取り付けるように構成される超音波シールステーションを備える。
【００２０】
有利なことに、これにより、パネル即ちウィングは、その全長に沿って、直接ドラムにおいて、位置決めする接着剤を用いずに、ウェブに接続され、これにより、本発明の目的を遂行する。
【００２１】
より具体的には、ドラムによれば、複数の吸引凹部によって正確な位置にパネルを配置する必要性を満たし、接着剤を用いずにパネルをウェブにシールする即ち固定する必要性を同時に満たす。
【００２２】
実際に、ユニットは、ドラムのすぐ下流に、間に他のシールステーション無しで、吸収性コアをウェブに貼り付ける貼付ステーション及び／又は連続状ウェブ及び更なる連続状ウェブの間にパネルが配置されるように、更なる連続状ウェブを連続状ウェブに貼り付ける貼付ステーションを備える。
【００２３】
なお、超音波シールステーションは、好ましくは、それぞれが、各対のそれぞれのパネルに作用するように、ドラムの周方向外周面に対向し、供給方向に対して横方向に互いから間隔をおいて配置されている少なくとも１つの第１のソノトロード及び少なくとも１つの第２のソノトロードを備える。
【００２４】
これにより、ドラムが、シールステーションのソノトロード又は複数のソノトロード用のアンビルの役割を果たす。
【００２５】
前述の内容によれば、本発明に係る方法は、パネルの対の連続体を供給するステップと、（好ましくは不織布の）吸収性衛生用品の本体の少なくとも一部を形成するのに適切な材料の連続状ウェブを供給するステップと、それぞれの２枚のパネルが互いに対向しており且つ供給方向に沿って横方向に整列されるように、回転可能なドラムの外周面に各対を配置するステップと、各パネルがウェブから側方に部分的に突き出るように、ドラムの周方向外周面にウェブを位置決めするステップと、を含む。
【００２６】
この方法はまた、複数のシール点を供給方向に沿って連続して並べることによって、ドラムにおいてシールが行われる、超音波を用いてパネルをウェブにシールするステップを含む。
【図面の簡単な説明】
【００２７】
本発明の上述の及び他の特徴及び長所は、添付の図面に示す吸収性衛生用品を形成するユニット及び吸収性衛生用品を製造する方法の実施形態についての以下の例示的なものであって本発明を限定するものではない記載からより明らかとなろう。なお、本発明の実施形態は、好ましいものであって排他的なものではない。
【図１】本発明に係る吸収性衛生用品を形成するユニットの概略斜視図である。
【図２】図１の吸収性衛生用品を形成するユニットの概略正面図を示す。
【図３】図１の吸収性衛生用品を形成するユニットの概略側面図を示す。
【発明を実施するための形態】
【００２８】
添付の図面を参照しながら、符号１は、本発明に係る吸収性衛生用品１００を形成するユニットを示す。
【００２９】
形成ユニット１は、オムツ又は失禁用下着等の吸収性衛生用品の生産用ラインに沿って位置する。吸収性衛生用品は、主なる部分即ち「シャーシ」を有する。主なる部分は、吸収性コア及び１つ又は複数の補助要素を備える。補助要素は、好ましくは、パネル１０２即ちサイドウィングによって形成される。
【００３０】
より厳密には、各吸収性衛生用品１００は、本体１０１即ちシャーシを備える。本体１０１は、それぞれの軸に沿って（使用時に、オムツが着用者の股部周りにＵ字状に折り畳まれる場合に、着用者の前方に配置される）前端部から（使用時に、オムツが着用者の股部周りにＵ字状に折り畳まれる場合に、着用者の後方に配置される）後端部に延在する。
【００３１】
より具体的には、各吸収性用品１００の本体１０１は、少なくとも１つの内部吸収性パッドを備える複合物の品物であり、この内部吸収性パッドは、通常セルロース繊維又はＳＡＰから製造され、片側は不織布の浸透性シート即ち「表面シート」よりなり、反対側はポリエチレンの非浸透性シート（図示せず）即ち「裏面シート」よりなるソフトな被覆物内部に配置される。
【００３２】
吸収性用品１００はまた、使用者によって着用されているときのオムツに対して、前端部から側方に延在する１対の前方パネル１０２即ちウィング及び１対の後方パネル１０２即ちウィングを通常備える。
【００３３】
前方パネル及び後方パネルは、通常互いと異なるが、互いにひっかかって、着用者のウエストを取り巻き、使用時に、オムツを正確に定位置に維持するように作られる。
【００３４】
形成ユニット１は、次いで、それぞれの回転軸「Ａ」を中心に回転可能である少なくとも１つのドラム２を備える。ドラム２は、パネル１０２の対の連続体を供給する（及び付与する）第１の供給手段３及び本体１０１の少なくとも一部を形成するのに適切な材料の連続状ウェブ１０１ａを供給する第２の供給手段４に対応付けられている。
【００３５】
より厳密には、ドラム２は、供給方向「Ｂ」に沿って軸「Ａ」周りに可動である周方向外周面２ａを有する。
【００３６】
第１の供給手段３は、パネルの前部の対及び／又はパネルの後部の対を形成するパネル１０２即ちウィングの対の連続体を、ドラム２に、特にその周方向外周面２ａに付与するように構成される。
【００３７】
なお、パネル１０２は、各対のパネルが供給方向「Ｂ」に対して横方向即ち直角に互いから間隔をおいて配置され且つ互いに沿って整列されるように、位置決めされる。
【００３８】
そのため、好ましくは、第１の供給手段３は、ドラム２に実質的に接し、好ましくは、各対のパネル１０２の両方を受ける寸法になっている少なくとも１つの解放部を備える回転可能部材５を有する。
【００３９】
他方では、第２の供給手段４は、連続状ウェブ１０１ａを、ドラム２、特にその周方向外周面２ａに付与するように構成される。
【００４０】
より具体的には、第２の供給手段４は、ドラム２周りに部分的な円形区間を有する供給経路「Ｐ」に沿って、ウェブ１０１ａを供給するように構成される。
【００４１】
好ましくは、供給経路「Ｐ」の区間「Ｔ」は、１０°よりも大きく、より好ましくは、少なくとも２０°の角度に及ぶ円形領域を占める。
【００４２】
第２の供給手段４は、好ましくは、第１の供給手段３の下流に動作可能に位置する。これにより、第２の供給手段４は、パネル１０２がウェブ１０１ａ及びドラム２の周方向外周面２ａの間に配置されるように、ウェブ１０１ａをドラム２に配置するように構成される。
【００４３】
より厳密には、第１の供給手段３及び第２の供給手段４は、各対の各パネル１０２が連続状ウェブ１０１ａのそれぞれの長手方向の縁部から側方に突出するように構成される。
【００４４】
これにより、ウェブ１０１ａに付与された後に、各パネル１０２は、ウェブ１０１ａに接合される内側部分１０２ａと、ウェブ１０１ａから側方に突き出る外側部分１０２ｂと、を有する。
【００４５】
なお、第１の供給手段３は、第２の供給手段４の上流に位置してもよい（好ましい）が、幾つかの実施形態において、また第２の供給手段４の下流に位置してもよい。
【００４６】
パネル１０２を定位置に保持するために、ドラム２の周方向外周面２ａにおいては、好ましくは、パネル１０２に吸引が加えられる。
【００４７】
換言すると、ドラム２は、その周方向外周面２ａに沿って、少なくとも部分的に周方向の方向に沿って連続して並べられている複数の吸引凹部６を有する。
【００４８】
これにより、凹部は、パネル１０２を定位置に保持する真空発生手段（図示せず）と流体接続している。
【００４９】
本発明の一態様によれば、ユニット１は、第２の供給手段４の下流に動作可能に位置する区域に、ドラム２の周方向外周面２ａに沿って位置する超音波シールステーション７を備える。
【００５０】
好ましい実施形態において、シールステーションは、区間「Ｔ」に位置する。
【００５１】
シールステーション７は、供給方向Ｂに沿って連続して並べられている少なくとも一の複数のシール点８において、対の各パネル１０２をウェブ１０１ａに取り付けるように構成される。
【００５２】
なお、シールステーション７は、パネル１０２をウェブ１０１ａに恒久的にシールし、更なる接続ステーションは必要とされない。
【００５３】
実際に、ウィング１０２ａをウェブ１０１ａに取り付けるために、シールステーション７は、連続して並べられている複数の点において、ウィングの内側部分において動作するように構成される。
【００５４】
他方では、吸引凹部６は、シールしている間に（及びまた、シール前に及びシール後に）、パネル１０２の外側部分１０２ｂにおいて動作する。
【００５５】
この点について、超音波シールステーション７は、それぞれが、各対のそれぞれのパネル１０２に作用するように、ドラム２の周方向外周面２ａに対向し、供給方向「Ｂ」に対して横方向に互いから間隔をおいて配置されている少なくとも１つの第１のソノトロード９及び少なくとも１つの第２のソノトロード１０を備える。
【００５６】
より厳密には、超音波シールステーション７は、供給方向「Ｂ」に沿って連続して並べられている対応する複数の点８において、各パネル１０２を連続状ウェブ１０１ａにシールするように構成される複数の第１のソノトロード９及び複数の第２のソノトロード１０を備える。
【００５７】
有利なことに、これによって、事前に位置決めする接着剤又は複数のシールステーションを使用する必要性を回避することを可能にし、ユニット１の構造体を非常に小型化させ、単一のドラム２周りに全体的に位置させる。
【００５８】
なお、好ましくは、第１のソノトロード（又は複数のソノトロード）９及び第２のソノトロード（又は複数のソノトロード）１０は、互いに向かって及び互いから離れるように移動可能であることによって、吸収性用品１００の大きさに適合する。
【００５９】
換言すると、シールステーション７は、第１のソノトロード９及び／又は第２のソノトロード１０と対応づけられており、第１のソノトロード９及び第２のソノトロード１０を互いに向かって及び互いから離れるように移動させるように構成される移動手段（図示せず）を備える。
【００６０】
好ましくは、移動手段は、吸収性用品１００又はパネル１０２の大きさに応じてソノトロード９，１０の位置を定めるように構成される駆動装置及び／又は制御ユニットと動作可能に対応づけられている。
【００６１】
有利なことに、これによって、大きさの切換えに適合するように、形成ユニット１が多用途及び簡単になるので、製造者にとって時間及び資金を大幅に節約することになる。
【００６２】
超音波シールを実行可能にするために、ドラム２の周方向外周面２ａは、ソノトロード９，１０用のアンビル１１を構成する。
【００６３】
この目的のために、ドラム２は、その周方向外周面２ａに沿って、ソノトロード９，１０用のそれぞれのアンビル１１を構成し、少なくとも部分的に周方向の方向に沿って分散されている複数の停止部即ち当接部１２を有する。
【００６４】
好ましくは、停止部１２は、ドラム２の周方向外周面２ａに作られている特定の凹部内に位置するプレートによって形成される。
【００６５】
これらのプレートは、適切な材料からなる。
【００６６】
これにより、ドラム２は、周方向外周面２ａに沿って、周方向に連続して位置する複数の停止部１２を備える。
【００６７】
好ましくは、ドラム２は、停止部１２の少なくとも２列の略周方向の列１３を備えることによって、各対の両方のパネル１０２を順次シールすることを可能にする。
【００６８】
好ましい実施形態において、吸引凹部６は、停止部１２即ち当接部と軸方向及び／又は周方向に交互になるように並べられている。
【００６９】
換言すると、周方向の方向に沿って、周方向外周面２ａは、停止部１２と交互になることによって最大生産性と位置決め精度とを組み合わせる吸引凹部６を備える。
【００７０】
更に、周方向外周面２ａは、好ましくは、（回転軸「Ａ」に平行な）軸方向に沿って停止部１２と交互になっている吸引凹部６を備える。
【００７１】
換言すると、好ましい実施形態において、周方向外周面２ａは、吸引凹部６及び停止部１２の分散パターンを有することによって、最大汎用性及び位置決め精度を確実にする。
【００７２】
実際に、周方向外周面２ａの全体に沿った吸引凹部６の分散によれば、パネルの形状及び大きさとは無関係にパネルを正確に位置決め可能にし、一方では、停止部１２の分散によれば、ソノトロード９，１０によって採用された位置を問わず、幾つかの点において正確なシールを実行可能にする。
【００７３】
第１実施形態において、ユニット１は、ドラム２のすぐ下流に位置し、吸収性コアをウェブ１０１ａに貼り付ける貼付ステーションを備える。
【００７４】
代替的には、ユニット１は、ドラム２のすぐ下流に位置し、パネルが連続状ウェブ１０１ａ及び更なる連続状ウェブ１０１ｂの間に配置されるように、更なる連続状ウェブ１０１ｂを連続状ウェブ１０１ａに貼り付ける貼付ステーションを備える。
【００７５】
これにより、更なるシールステーションは備えられておらず、パネル１０２の位置決めは、シールステーション７において完了する。
【００７６】
有利なことに、本発明に係る形成ユニット１は、極めて小型化しており、保守が簡単である。
【００７７】
実際に、第１の供給手段３、第２の供給手段４及びシールステーション７等の関連する装置は全て、ドラムの周方向外周面２ａの近くにあり且つ周方向外周面２ａに接する。
【００７８】
これにより、ユニット１は、また本発明の対象である、吸収性衛生用品１００を形成する方法を実施するように構成される。
【００７９】
この方法は、材料のパネル１０２の対の連続体を供給するステップを含む。
【００８０】
パネル１０２は、好ましくは、弾性材料からなって、吸収性用品１００を閉じるサイドウィングを形成する。
【００８１】
吸収性衛生用品１００の本体１０１の少なくとも一部を形成するのに適切な材料の連続状ウェブ１０１ａを供給するステップがまたある。
【００８２】
好ましくは、連続状ウェブ１０１ａは、用品の主なる部分である表面シートである。ゆえに、ウェブ１０１ａは、好ましくは、不織布からなる。
【００８３】
代替的には、このウェブは、実質的に非浸透性材料からなる場合、用品１００の裏面シートであってもよい。
【００８４】
そのため、好ましくは、パネル１０２の各対は、それぞれの２枚のパネル１０２が互いに対向しており且つ供給方向「Ｂ」に沿って横方向に整列されるように、回転可能なドラム２の外周面２ａに配置される。
【００８５】
これにより、各対の２枚のパネル１０２は、ドラム２の回転軸に平行な軸方向に沿って整列され、所定の分量だけ互いから間隔をおいて配置される。
【００８６】
次に又は前もって、ウェブ１０１ａは、各パネル１０２がウェブ１０１ａから側方に部分的に突き出るように、ドラム２の周方向外周面２ａに位置決めされる。
【００８７】
これにより、パネル１０２及びウェブ１０１ａを位置決めした後に、各パネル１０２は、ウェブ１０１ａに重ねられる／接合される内側部分１０２ａと、ウェブ１０１ａから側方に突き出る外側部分１０２ｂと、を有する。
【００８８】
本発明によれば、この方法は、パネル１０２を又はむしろその内側部分１０２ａを、ウェブ１０１に超音波によってシールするステップを更に含む。
【００８９】
より具体的には、シールするステップは、複数のシール点８を供給方向「Ｂ」に沿って連続して並べることによって、ドラム２において行われる。
【００９０】
シールするステップと同時に、パネル１０２が連続状ウェブ１０１ａにシールされている間にパネル１０２を定位置に適正に維持するために、吸引によってパネル１０２を押さえつけるステップがある。
【００９１】
好ましくは、吸引によって押さえつけるステップは、シールするステップの前に始動し、より好ましくは、シールするステップの後も継続する。
【００９２】
有利なことに、このように、パネル１０２及びウェブ１０１ａの位置決めは一定であり及び精密であり続ける。
【００９３】
パネル１０２をウェブ１０１にシールするステップは、ドラム２において全体的に実行される。
【００９４】
これに鑑みて、この方法は、シールするステップの直後に、間に他のステップ無しで、吸収性コアをウェブ１０１ａに貼り付けるステップを含む。
【００９５】
代替的には、パネル１０２が連続状ウェブ１０１ａ及び更なる連続状ウェブ１０１ｂの間に配置されるように、更なる連続状ウェブ１０１ｂを連続状ウェブ１０１ａに貼り付けるステップがあってもよい。
【００９６】
本発明によれば、予め設定されている目的が達成され且つ重要な長所がもたらされる。
【００９７】
実際に、形成ドラムに沿って超音波シールステーションを備えることによれば、パネルをウェブに恒久的に取り付けることが可能になり、これにより、製品の品質を（接着剤無しで）大幅に高め、同時に機械の生産コスト／休止時間を減少させる。
【００９８】
また、吸引開口部及びソノトロード用の停止部の分散パターンを有する外周面を備えることによれば、使用の最大汎用性が可能になり、切換えの設定時間を最小限にする。
【図１】
2018514316.tif 000003
【図１ａ】
2018514316.tif 000004
【図２】
2018514316.tif 000005
【図３】
2018514316.tif 000006
【国際調査報告】
2018514316.tif 000007
2018514316.tif 000008